(57)【要約】【課題】施工が容易でしかも割れにくく耐久性も良好な床材を提供することを目的とする。【解決手段】床材１０は、タイル１１の裏面に補強材３０を介して裏板２０を取り付けたものであり、裏板２０には突片２１と受容部２２とが設けられている。突片２１はタイル１１の外縁から突出し、受容部２２は外縁から後退している。突片２１を隣接する床材１０の受容部２２に差し込むようにして床材１０が床面に施工される。補強材３０は、アルミ等よりなり、受容部２２を覆うように配置され、これによりタイル１１の割れが防止される。【選択図】  図２
2005042465.tif 000002
【特許請求の範囲】
【請求項１】
方形の床材本体と、該床材本体の裏面側に設けられた裏板とを有した床材において、
該裏板の外縁の一部は該床材本体の外縁から突出して差込用突片を形成し、
該裏板の外縁の他の一部は、該床材本体の外縁から後退し、これにより、隣接配置された該床材の該差込用突片が差し込まれる受容部を該床材の裏面に形成している床材であって、
該床材本体の裏面のうち少なくとも該受容部に対面する部分に、該床材本体を補強する補強材を設けたことを特徴とする床材。
【請求項２】
請求項１において、前記補強材は金属板であることを特徴とする床材。
【請求項３】
請求項１又は２において、該金属板は中央が開口部となった枠状であり、該開口部内において接着剤によって床材本体と裏板とが接着されていることを特徴とする床材。
【請求項４】
請求項３において、該金属板はアルミ又はアルミ合金であり、その厚さが０．１〜０．３ｍｍであることを特徴とする床材。
【請求項５】
請求項１ないし４のいずれか１項において、該突片は該受容部よりも大であり、
これにより、該突片が隣接する床材の受容部に差し込まれて嵌合されたときに、隣接する床材同士の間に目地間隙が形成されることを特徴とする床材。
【発明の詳細な説明】
【技術分野】
【０００１】
本発明は、施工が容易となるように改良されたタイル等の床材に関するものである。詳しくは、本発明は、方形の床材本体と、この床材本体の裏面側に付着された裏板とを有し、この裏板によって床材本体の外縁から突出した突片と、床材本体の外縁から後退した受容部とが形成された床材に関する。
【背景技術】
【０００２】
タイルを床面に施工する場合、割り付け、墨出し、接着剤塗布、タイル張り、目地調整、養生、目地詰め等の工程を行っているが、このタイル張り工程後、接着剤が硬化してタイルが動かなくなるまでは目地詰めを行うことができないところから、施工時間が長いものとなっていた。通常は、接着剤の養生に半日は必要であり、タイル張りと目地詰めとで最低２日間は掛っている。また、このタイル施工は専門の業者でないと、奇麗な仕上りとすることが難しい。
【０００３】
方形の板材本体と、該板材本体の裏面に付着された裏板とを有し、この裏板によって板材本体の外縁から突出した突片と、板材本体の外縁から後退した受容部とが形成された壁面施工用の板材が実開平５−６９２２４号に記載されている。第５，６図を参照して同号公報記載の板材とその施工方法について概略的に説明する。
【０００４】
同号公報の板材（内装板）１は、正方形状の板材本体（人造大理石と発泡スチロール板との積層体）２と、該板材本体の裏面に貼着された裏板４とからなる。この裏板４は、突片（山形凸部）５と受容部（谷形凹部）６とを有する。
【０００５】
この内装板を建物躯体に取り付けるには、まず、内装板の１枚目を裏板４の山形凸部５を介して壁下地７に釘８で固定し、次いで２枚目の内装板を、１枚目の谷形凹部６に２枚目の山形凸部５、および１枚目の山形凸部５が２枚目の谷形凹部６にそれぞれ嵌入して床材本体２同士を突き合わせ、１枚目と同様に山形凸部５を壁下地７に釘止め固定する。これを順次繰り返して所要枚数の内装板１を取付施工する。
【０００６】
【特許文献１】実開平５−６９２２４号公報
【発明の開示】
【発明が解決しようとする課題】
【０００７】
上記実開平５−６９２２４号に記載の壁面用の板材は、施工が容易であるので、これを床面施工用に転用することが考えられる。しかしながら、床面では物を落したりすることにより衝撃が加えられることがあり、裏板４で裏打ちされていない谷形凹部６の部分に衝撃が加えられると板材１が割れるおそれがある。
【０００８】
本発明は、施工が容易でしかも割れにくく耐久性も良好な床材を提供することを目的とする。
【課題を解決するための手段】
【０００９】
本発明の床材は、方形の床材本体と、該床材本体の裏面側に設けられた裏板とを有した床材において、該裏板の外縁の一部は該床材本体の外縁から突出して差込用突片を形成し、該裏板の外縁の他の一部は、該床材本体の外縁から後退し、これにより、隣接配置された該床材の該差込用突片が差し込まれる受容部を該床材の裏面に形成している床材であって、該床材本体の裏面のうち少なくとも該受容部に対面する部分に、該床材本体を補強する補強材を設けたことを特徴とするものである。
【発明の効果】
【００１０】
かかる本発明の床材は、上記実開平５−６９２２４号の板材と同様に、突片を受容部に差し込むようにして位置決めしながら張り付け施工することができ、施工が容易である。
【００１１】
この床材は、床材本体のうち少なくとも受容部に対面する部分が補強材で補強されているので、落下物が当っても割れにくいものとなる。
【００１２】
この補強材としては金属板特に耐食性に優れると共に安価である厚さ０．１〜０．３ｍｍのアルミ又はアルミ合金製の金属板が好適である。
【００１３】
この金属板は接着剤によって床材本体に接着されることが望ましく、これにより補強効果が高くなる。
【００１４】
この金属板は、中央が開口部となった枠状であることが好ましい。この場合、タイル等の床材本体の裏面に接着剤を設けておけば、タイル等と金属板との接着、及び、開口部を介してのタイル等と裏板との接着を同時にできる。なお、開口部において裏板と床材本体とが接着剤によって直接的に接着されることにより、床材本体が該開口部において裏板により補強されるようになる。
【００１５】
本発明では、突片は該受容部よりも大であり、これにより、該突片が隣接する床材の受容部に差し込まれて嵌合されたときに、隣接する床材同士の間に目地間隙が形成される構成としてもよい。かかる構成とすることにより、床材の張り付け後、直ちに目地詰めを行うことが可能となる。
【発明を実施するための最良の形態】
【００１６】
以下、図面を参照して本発明の一形態について説明する。第１図はこの形態に係る床材の前面斜視図、第２図は第１図の床材の裏面斜視図、第３図はこの床材の下方から見た分解斜視図、第４図は第２図のIV-IV線に沿う断面図である。
【００１７】
この床材１０は、方形（この実施の形態では正方形）の床材本体としての陶磁器製タイル１１と、このタイル１１の裏面に接着剤によって接着固定された補強材としての金属板３０及び裏板２０とを有する。
【００１８】
この形態では、裏板２０は、厚さ３〜６ｍｍ程度のハードボード等の材料製の薄板よりなる。
【００１９】
この裏板２０は、外縁がタイル１１の外縁に沿って延在する略三角波形状である。外縁がこのように略三角波状であることにより、裏板２０の外縁には、タイル１１の外縁から突出する略三角形状の突片２１と、タイル１１の外縁から後退する略三角形の受容部２２とが形成されている。突片２１の大きさは受容部２２と同一であるか、又は受容部２２よりも若干大きなものとなっている。
【００２０】
タイル１１の正面視において突片２１の配置はタイル１１の中心を対称中心点とした点対称である。そのため、２枚の床材１０同士を並置し、相互の辺同士を突き合わせると、一方の床材１０の突片２１が他方の床材１０の受容部２２に入り込み、２枚の正方形の床材１０が連なった１つの長方形が形成可能である。
【００２１】
このタイル１１と裏板２０との間に介在された補強材３０は、タイル１１の周縁部を周回する、中央に方形の開口部３１を有した方形枠状である。この補強材３０の外縁は、タイル１１の外縁と完全に重なるか、又はそれよりも極く微か（例えば５ｍｍ以下）内側に位置している。この補強材３０は、受容部２２を覆う大きさを有する。開口部３１の大きさは、その開口面積がタイル１１の面積の８０％以上であることが好ましい。
【００２２】
この補強材３０は、好ましくは金属板特に好ましくはアルミ又はアルミ合金よりなり、その厚さは０．１〜０．３ｍｍ程度が好適である。
【００２３】
この補強材３０は、接着剤によってタイル１１の裏面に接着されているので、受容部２２の部分に物体が落下してきても衝撃でタイル１１が割れることが防止される。
【００２４】
裏板２０は、この補強材３０とタイル１１との双方に接着剤によって接着されている。開口部３１においては、第４図の通り、接着剤３２が厚目に塗付され、この接着剤３２を介して裏板２０とタイル１１とが直接に接着されている。この接着剤３２がタイル１１と裏板２０との間に介在することにより、開口部３１の部分に物体が落下しても衝撃でタイル１１が割れることが防止される。
【００２５】
この床材１０を床面に取付施工するには、建物の部屋等の中央から順次に床材１０を接着剤で張って行く。この場合、１列目の床材１０を張り終った後、２列目の床材１０を張り、その後３列目の床材１０を張り、以下、これを繰り返す。
【００２６】
床面に床材１０を施工する場合、既に張り付けられた床材１０の受容部２２に突片２１を差し込むようにすることは実開平５−６９２２４号と同じである。
【００２７】
また、張り終りの最終列の床材１０は、必要に応じ、ダイヤモンドカッター等で切断して寸法調整する。
【００２８】
なお、突片２１を受容部２２よりも若干大きくしておき、突片２１を隣接する床材１０の受容部２２に嵌合させたときにタイル１１同士の間に２〜５ｍｍ程度の目地間隙が形成されるようにしてもよい。このようにすれば、床材１０を床面に接着剤を介して張った後、この接着剤が硬化する前であっても床材１０の上に作業者が乗っても床材１０が動かない。従って、床材１０の張り付け後、直ちに目地詰め作業を行うことができ、目地詰めを含めた全てのタイル張り作業を１回で終了させることができる。
【００２９】
上記床材１０は本発明の一例であり、本発明は図示以外の形態をも採り得る。例えば開口部３１の形状は方形以外であってもよい。また、開口部３１を省略し、タイル１１の裏面の全体に補強材３０を接着してもよい。タイル１１の代りに石材を採用してもよい。
【図面の簡単な説明】
【００３０】
【図１】本発明に係る床材の前面斜視図である。
【図２】第１図の床材の裏面斜視図である。
【図３】第１図の床材の分解斜視図である。
【図４】第２図のIV-IV線に沿う断面図である。
【図５】従来の壁面用板材の正面図である。
【図６】従来の壁面用板材の施工方法の説明図である。
【符号の説明】
【００３１】
１０  床材
１１  床材本体（タイル）
２０  裏板
２１  突片
２２  受容部
３０  補強材
３１  開口部
３２  接着剤
【図１】
2005042465.tif 000003
【図２】
2005042465.tif 000004
【図３】
2005042465.tif 000005
【図４】
2005042465.tif 000006
【図５】
2005042465.tif 000007
【図６】
2005042465.tif 000008